(57)【要約】【課題】パワーコンディショナと蓄電部との誤配線に起因する動作不良をなくすことが可能なパワーコンディショナ及び蓄電システムを提供する。【解決手段】パワーコンディショナ１０において、制御部１２と、電力の直流及び交流変換を実行する複数の電力変換部１６と、制御部１２と蓄電部２０とを通信線３２を介して接続させる複数の通信系接続端子１４ａと、電力変換部１６と蓄電部２０とを電池配線３４を介して接続させる複数の送電系接続端子１４ｂ、１４ｃと、放電電力が送電された送電系接続端子１４ｂ、１４ｃを検知して制御部１２に結果を送信する検電素子１４ｄと、を備え、制御部１２は、蓄電部２０に放電指示を送信し、蓄電部２０の放電電力を検知した検電素子１４ｄから放電電力が送電された送電系接続端子１４ｂ、１４ｃを特定し、蓄電部２０に接続されている通信系接続端子１４ａと送電系接続端子１４ｂ、１４ｃの情報を紐付けテーブルに記憶する。【選択図】図４
2018196185.tif 000002
【特許請求の範囲】
【請求項１】
外部接続される複数の蓄電部に対して充電制御及び放電制御を行う制御部と、
系統配線から送電される交流電力から前記蓄電部を充電するための直流電力への変換、及び前記蓄電部から放電される直流電力から負荷に供給可能な交流電力への変換を実行する複数の電力変換部と、
前記制御部と前記蓄電部とを通信部を介して接続させる複数の通信系接続部と、
複数の前記電力変換部の各々に対応して設けられ、前記電力変換部と前記蓄電部とを電池配線を介して接続させる複数の送電系接続部と、
複数の前記送電系接続部の各々に対し、電力が供給されたことを検知する電力検知部と、を備え、
前記制御部は、
前記蓄電部に放電指示を送信し、当該放電指示に基づいて前記蓄電部が放電したことを検知した前記電力検知部による検知結果に基づいて、前記蓄電部から放電された電力を送電する前記送電系接続部を特定する接続先特定部と、
前記放電指示の送信に用いた前記通信系接続部と前記接続先特定部によって特定された前記送電系接続部とを紐付けて設定する配線設定部と、
を有することを特徴とするパワーコンディショナ。
【請求項２】
請求項１記載のパワーコンディショナと、当該パワーコンディショナに外部接続される蓄電部とを備える蓄電システム。
【請求項３】
外部接続される複数の蓄電部に対して充電制御及び放電制御を行う制御部と、
系統配線から送電される交流電力から前記蓄電部を充電するための直流電力への変換、及び前記蓄電部から放電される直流電力から負荷に供給可能な交流電力への変換を実行する複数の電力変換部と、
前記制御部と前記蓄電部とを通信部を介して接続させる複数の通信系接続部と、
複数の前記電力変換部の各々に対応して設けられ、前記電力変換部と前記蓄電部とを電池配線を介して接続させる複数の送電系接続部と、を備えるパワーコンディショナと前記蓄電部との配線方法であって、
前記パワーコンディショナの前記通信系接続部及び前記送電系接続部と、前記蓄電部とを前記通信部及び前記電池配線によって接続する接続工程と、
前記制御部から前記蓄電部に対し放電指示を送信する送信工程と、
複数の前記送電系接続部の中から前記放電指示に基づいて前記蓄電部から放電された前記送電系接続部を特定する特定工程と、
前記蓄電部に対応する前記通信系接続部と前記特定工程によって特定された前記送電系接続部とを紐付けて設定する設定工程と、
を有することを特徴とする配線方法。
【発明の詳細な説明】
【技術分野】
【０００１】
本発明は、パワーコンディショナ、このパワーコンディショナを有する蓄電システム及びパワーコンディショナと蓄電部との配線方法に関するものである。
【背景技術】
【０００２】
従来、深夜電力等を利用して蓄電池を充電し、例えば、災害等で突然の停電が発生した場合に、予め充電した蓄電池を利用して電力をバックアップする蓄電システムが市販されている。
蓄電システムは、蓄電池を含む蓄電部と、パワーコンディショナと、を備えている。パワーコンディショナは、分電盤における契約ブレーカから延びる系統配線の所定部位から分岐させた電力線から蓄電部を充電するための商用電力を取り込み、交流電力を直流電力に変換して、電池配線を介して充電電力を蓄電部に供給する。そして、例えば、停電が発生した場合等に、パワーコンディショナは、蓄電部の直流電力を宅内の電気機器のような一般家庭負荷に利用可能な交流電力に変換し、電力線及び系統配線を介して電力供給を可能にする。
【０００３】
従来、この種の技術としては、特許文献１に記載された技術がある。特許文献１には、充電可能な電池パックが複数直列接続されて構成される組電池と、組電池を制御する制御部とを備え、制御部は複数の組電池の接続を接続可能である電力供給システムについて開示されている。
【先行技術文献】
【特許文献】
【０００４】
【特許文献１】特開２０１３−５１８２０公報
【発明の概要】
【発明が解決しようとする課題】
【０００５】
ところで、従来の蓄電システムによれば、パワーコンディショナに対して蓄電部の追加接続が可能なものがある。また、近年、蓄電システムの使用者が、蓄電部を購入して、パワーコンディショナにその蓄電部を追加接続することが可能な蓄電システムが出現している。しかしながら、蓄電部の追加作業を行う際、施工作業者が配線接続を誤ってしまう懸念があり、蓄電システムの起動時に動作不良を引き起こすおそれがある。
【０００６】
本発明は、上記問題点に鑑みなされたものであり、誤配線に起因する動作不良を防止することを可能にするパワーコンディショナ、このパワーコンディショナを有する蓄電システム及び配線方法を提供することを目的とする。
【課題を解決するための手段】
【０００７】
前記目的を達成するため、本発明は、次に記載する構成を備える。
【０００８】
（１）外部接続される複数の蓄電部（例えば、蓄電部２０）に対して充電制御及び放電制御を行う制御部（例えば、制御部１２）と、
系統配線から送電される交流電力から前記蓄電部を充電するための直流電力への変換、及び前記蓄電部から放電される直流電力から負荷に供給可能な交流電力への変換を実行する複数の電力変換部（例えば、電力変換部１６）と、
前記制御部と前記蓄電部とを通信部を介して接続させる複数の通信系接続部（例えば、通信系接続端子１４ａ（ＣＭ（１）〜ＣＭ（ｎ）））と、
複数の前記電力変換部の各々に対応して設けられ、前記電力変換部と前記蓄電部とを電池配線を介して接続させる複数の送電系接続部（例えば、送電系接続端子１４ｂ、１４ｃ（ＰＭ（１）〜ＰＭ（ｎ））と、
複数の前記送電系接続部の各々に対し、電力が供給されたことを検知する電力検知部（例えば、検電素子１４ｄ及び信号配線５４）と、を備え、
前記制御部は、
前記蓄電部に放電指示を送信し、当該放電指示に基づいて前記蓄電部が放電したことを検知した前記電力検知部による検知結果に基づいて、前記蓄電部から放電された電力を送電する前記送電系接続部を特定する接続先特定部（例えば、ＣＰＵ１２ａ（図５のステップＳ７の処理））と、
前記放電指示の送信に用いた前記通信系接続部と前記接続先特定部によって特定された前記送電系接続部とを紐付けて設定する配線設定部（例えば、ＣＰＵ１２ａ（図５のステップＳ８の処理））と、
を有することを特徴とするパワーコンディショナ。
【０００９】
（２）（１）のパワーコンディショナ（例えば、パワーコンディショナ１０）と、当該パワーコンディショナに外部接続される蓄電部（例えば、蓄電部２０）とを備える蓄電システム。
【００１０】
（３）外部接続される複数の蓄電部（例えば、蓄電部２０）に対して充電制御及び放電制御を行う制御部（例えば、制御部１２）と、
系統配線から送電される交流電力から前記蓄電部を充電するための直流電力への変換、及び前記蓄電部から放電される直流電力から負荷に供給可能な交流電力への変換を実行する複数の電力変換部（例えば、電力変換部１６）と、
前記制御部と前記蓄電部とを通信部を介して接続させる複数の通信系接続部（例えば、通信系接続端子１４ａ（ＣＭ（１）〜ＣＭ（ｎ）））と、
複数の前記電力変換部の各々に対応して設けられ、前記電力変換部と前記蓄電部とを電池配線を介して接続させる複数の送電系接続部（例えば、送電系接続端子１４ｂ、１４ｃ（ＰＭ（１）〜ＰＭ（ｎ））と、を備えるパワーコンディショナと前記蓄電部との配線方法であって、
前記パワーコンディショナの前記通信系接続部及び前記送電系接続部と、前記蓄電部とを前記通信部及び前記電池配線によって接続する接続工程と、
前記制御部から前記蓄電部に対し放電指示を送信する送信工程（例えば、図５のステップＳ２の処理）と、
複数の前記送電系接続部の中から前記放電指示に基づいて前記蓄電部から放電された前記送電系接続部を特定する特定工程（図７のステップＳ７の処理）と、
前記蓄電部に対応する前記通信系接続部と前記特定工程によって特定された前記送電系接続部とを紐付けて設定する設定工程（図５のステップＳ８の処理）と、
を有することを特徴とする配線方法。
【発明の効果】
【００１１】
本発明によれば、パワーコンディショナと蓄電部とにおける通信系統と送電系統との組み合わせを考慮することなく、パワーコンディショナに対して蓄電部を自由に接続しても問題なく運転することができるようになり、誤配線に起因する動作不良をなくすことが可能になる。
【図面の簡単な説明】
【００１２】
【図１】本発明の実施形態における蓄電システムの概略構成を示す説明図である。
【図２】本発明の実施形態に係るパワーコンディショナの概略構成を示す説明図である。
【図３】パワーコンディショナ及び蓄電部における内部の配線を示す説明図である。
【図４】パワーコンディショナと蓄電部との配線例を示す説明図である。
【図５】本発明の実施形態に係るパワーコンディショナの制御部によって実行される紐付処理の流れを示すフローチャートである。
【図６】本発明の実施形態において作成される紐付テーブルの一例を示す説明図である。
【図７】パワーコンディショナと蓄電部との他の配線例を示す説明図である。
【図８】本発明の実施形態に係るパワーコンディショナの制御部によって実行される紐付処理の他例を示すフローチャートである。
【発明を実施するための形態】
【００１３】
以下、本発明の一実施形態について、図面を参照しながら詳細に説明する。
図１は、本発明の一実施形態における蓄電システム１の構成を示すブロック図である。蓄電システム１は、パワーコンディショナ１０と、蓄電部２０と、蓄電ブレーカ２６と、電力線３０と、通信線３２（本発明の「通信部」に相当）と、電池配線３４と、自立配線３６と、切替開閉器１１１と、を備えている。
【００１４】
蓄電システム１は、宅内に設置された分電盤（図示せず）から延びる、一般家庭負荷１１０に系統電力を供給する系統配線１０２に接続され、通常は、系統配線１０２からの系統電力を用いて蓄電部２０を充電し、充電した電力を必要に応じて系統配線１０２を介して宅内の電化製品に供給する機能を備えている。系統電力は、屋外の配電線から変圧器で変圧され、引込線を介して宅内に引き込まれる電力（商用電力）である。通常時には、配電線から変圧器、引込線等によって宅内に引き込んだ系統電力が、系統配線１０２を介して一般家庭負荷１１０に供給される。なお、以下の説明において、系統電力の電源を系統電源と称する。
【００１５】
次に、パワーコンディショナ１０について説明する。
パワーコンディショナ１０は、制御部１２と、インターフェース部１４と、電力変換部１６と、を備えている。制御部１２は、パワーコンディショナ１０全体を制御するものである。インターフェース部１４は、蓄電部２０や各種の外部機器を接続するものであり、複数の蓄電部２０を接続することが可能である。
【００１６】
電力変換部１６は、系統配線１０２に接続される電力線３０を通じて供給される系統電源からの交流電力を直流電力に変換して、蓄電部２０に接続される電池配線３４を通じて蓄電部２０を充電する充電動作と、蓄電部２０から放電される直流電力を交流電力に変換して一般家庭負荷１１０に供給する放電動作とを実行する。
【００１７】
図２は、電力変換部１６の構成を示すブロック図であり、電力変換部１６は、コンバータ１６ａと、インバータ１６ｂと、出力切替回路１６ｃとを備えている。
コンバータ１６ａは、蓄電部２０の放電による直流電力の直流電圧を昇圧して、インバータ１６ｂに供給する。また、コンバータ１６ａは、インバータ１６ｂからの直流電力の直流電圧を降圧して蓄電部２０に供給する。この降圧された直流電力が蓄電部２０に供給されることによって、蓄電部２０が充電される。
【００１８】
インバータ１６ｂは、コンバータ１６ａによって昇圧された蓄電部２０からの直流電力を交流電力に変換して系統配線１０２または自立負荷１１２に供給する、ＤＣ／ＡＣ動作を行う。また、インバータ１６ｂは、系統配線１０２から入力した交流電力を直流電力に変換し、コンバータ１６ａを介して蓄電部２０に供給する、ＡＣ／ＤＣ動作を行う。
【００１９】
出力切替回路１６ｃは、蓄電部２０からの放電電力を系統配線１０２または自立負荷１１２に供給先を切り替える。また、出力切替回路１６ｃから自立負荷１１２に向けて供給される電力は、切替開閉器１１１を経由して自立負荷１１２に供給される。切替開閉器１１１は自立負荷１１２に供給する電力を、系統配線１０２からの交流電力及び蓄電部２０からインバータ１６ｂを経由した交流電力のいずれかに切り替える。例えば、切替開閉器１１１による電源の切り替えにより、通常時においては、系統電源から自立負荷１１２への電力供給を可能し、停電時においては、蓄電部２０を電源とする自立負荷１１２への電力供給が可能になる。
【００２０】
ここで、自立負荷１１２は、常時、電力を供給し続ける必要がある重要負荷を指す。一般家庭負荷１１０には系統配線１０２を介して電力が供給される一方、重要負荷（自立負荷１１２）には停電等で系統電力が消失した際、パワーコンディショナ１０の自立出力を介して電力が供給される。
【００２１】
また、図１において、電力線３０は、パワーコンディショナ１０と、系統配線１０２とを接続するものである。系統配線１０２は、契約ブレーカ１０１から延び、系統配線１０２における契約ブレーカ１０１の下流側に、主幹ブレーカ１０３が配置され、更に下流に複数の分岐ブレーカ（図示しない）が配置され、分岐ブレーカから延びる系統配線１０２に商用電源用のコンセントが取り付けられている。電力線３０は、系統配線１０２における主幹ブレーカ１０３の上流側の所定部位から分岐している。
【００２２】
蓄電ブレーカ２６は、電力線３０に配置され、設置時やメンテナンス時または故障したときに電路を開放する。
電池配線３４は、パワーコンディショナ１０と蓄電部２０とを接続し、パワーコンディショナ１０から蓄電部２０への充電電力の供給、あるいは蓄電部２０からパワーコンディショナ１０への放電電力の供給を可能にするものである。通信線３２は、パワーコンディショナ１０と蓄電部２０とを接続し、パワーコンディショナ１０と蓄電部２０との間で通信可能にするものである。自立配線３６は、パワーコンディショナ１０と自立負荷１１２とを切替開閉器３６を介して接続するものである。
【００２３】
図３は、蓄電部２０の概略構成及びパワーコンディショナ１０におけるインターフェース部１４の概略構成を示す説明図である。図４は、パワーコンディショナ１０と蓄電部２０との配線を示す説明図である。
パワーコンディショナ１０のインターフェース部１４は、電力変換部１６の数と同数の通信系接続端子１４ａと、一対の送電系接続端子１４ｂ、１４ｃと、送電系接続端子１４ｂ、１４ｃに電力が送電されたことを検知する検電素子１４ｄをそれぞれ備えている。
通信系接続端子１４ａは、通信配線５０によって制御部１２に接続される。一対の送電系接続端子１４ｂ、１４ｃは、送電配線５２によって電力変換部１６に接続される。
検電素子１４ｄは、一対の送電系接続端子１４ｂ、１４ｃから延びる送電配線５２にそれぞれ取り付けられ、検電素子１４ｄから延びる信号配線５４が制御部１２に接続される。
【００２４】
蓄電部２０は、制御部６０と、複数のリチウムイオン蓄電池等の蓄電池６２と、通信系接続端子１４ａに通信配線６４を介して接続される通信系接続端子２０ａと、一対の送電系接続端子１４ｂ、１４ｃに送電配線６６を介して接続される送電系接続端子２０ｂ、２０ｃと、送電配線６６に設けられたスイッチ６８と、を備えている。
【００２５】
なお、説明の便宜上、パワーコンディショナ１０にはｎ個（ｎは２以上の整数）の電力変換部１６が装備されており、それに対応して、通信系接続端子１４ａ及び送電系接続端子１４ｂ、１４ｃについてもｎ個装備されているものとする。更に、図３に示すように、ｎ個の電力変換部１６にはＩＮＶ／ＣＯＮＶ（１）〜ＩＮＶ／ＣＯＮＶ（ｎ）、ｎ個の通信系接続端子１４ａにはＣＭ（１）〜ＣＭ（ｎ）、ｎ個の一対の送電系接続端子１４ｂ、１４ｃにはＰＭ（１）〜ＰＭ（ｎ）という識別情報が付与されているものとする。パワーコンディショナ１０にはｎ組の通信系接続端子１４ａ及び送電系接続端子１４ｂ、１４ｃが装備されているため、蓄電部２０はｎ個まで装着可能である。説明の便宜上、ｎ個の蓄電部２０の通信系接続端子２０ａをＣＳ（１）〜ＣＳ（ｎ）、一対の送電系接続端子２０ｂ、２０ｃをＰＳ（１）〜ＰＳ（ｎ）と称する場合がある。なお、ｎ個の蓄電部２０は、全て同一種類であることが望ましい。
【００２６】
制御部６０は、パワーコンディショナ１０から指示にしたがって、蓄電池６２に対する充電、放電制御を含む各種の制御を行う。蓄電池６２は、送電系接続端子２０ｂと送電系接続端子２０ｃとの間に直列に接続される。パワーコンディショナ１０からの直流電力が送電系接続端子２０ｂ、２０ｃを介して蓄電池６２に供給されることによって蓄電池６２が充電される。また、蓄電池６２から放電された直流電力は、送電系接続端子２０ｂ、２０ｃを介してパワーコンディショナ１０に供給される。また、制御部６０は、スイッチ６８の切替制御を行い、蓄電池６２の充放電の際にスイッチ６８をオンにし、それ以外は、スイッチ６８をオフにする。
【００２７】
そして、例えば、図４に示すように、パワーコンディショナ１０と蓄電部２０とが通信線３２によって接続されることにより、パワーコンディショナ１０をマスタ、蓄電部２０をスレーブとするマスタースレーブ制御が行われる。具体的に、パワーコンディショナ１０に複数の蓄電部２０が接続された場合に、パワーコンディショナ１０の制御部１２が複数の蓄電部２０を管理し、蓄電容量の少ない蓄電部２０に対応する電力変換部１６を動作させて充電電力を蓄電部２０に供給したり、停電の際に蓄電容量の多い蓄電部２０に放電指示を送信して蓄電部２０から電力を放電させたりする、等の制御を行う。
【００２８】
次に、制御部１２の詳細について説明する。
図１に示すように、制御部１２は、各種の処理を行うＣＰＵ１２ａと、蓄電システム１の動作させるための各種のプログラム、データ、テーブル等が記憶されている情報の読み書きが可能なＲＡＭ１２ｂと、を備えている。
【００２９】
ＲＡＭ１２ｂには、電源投入時における初期設定用のプログラム、異なる複数の運転モードのプログラムや運転モードを切り換えるプログラム等が記憶されている。
【００３０】
パワーコンディショナ１０の電源スイッチ（図示せず）をオンにすると、ＣＰＵ１２ａは、初期設定用のプログラムを実行して、各種の設定を行う。これにより、蓄電システム１が運転可能な状態となる。
【００３１】
そして、ＣＰＵ１２ａは、複数の運転モードから選択された一の運転モードを実行することによって蓄電システム１を制御する。
【００３２】
例えば、電気料金が安い深夜電力の時間帯において蓄電部２０の充電を行い、通常は、系統電源からの電力と蓄電部２０からの電力とを併用して使用し、停電発生時には、蓄電部２０の放電を行うように運転モードを設定することが可能である。
【００３３】
また、本実施形態によれば、初期設定用のプログラムに、パワーコンディショナ１０のインターフェース部１４と蓄電部２０との接続関係に関する情報を取得して、ＲＡＭ１２ｂに保存されている紐付テーブルのフォーマットに情報を記憶することにより、パワーコンディショナ１０の制御部１２と蓄電部２０の制御部６０との制御系統と、電力変換部１６と蓄電池６２との送電系統とを紐付ける、という処理を実行させるプログラムが含まれている。
【００３４】
蓄電システム１の新規設置あるいは蓄電部２０の増設等の作業は、パワーコンディショナ１０の電源がオフの状態で行われる。そして、設置作業が終わった後、電源スイッチ（図示せず）をオンにしてパワーコンディショナ１０を起動することで、最初に初期設定が行われる。
【００３５】
図５は、パワーコンディショナ１０の起動時に実行される紐付処理の流れを示すフローチャートである。なお、以降の説明において、便宜上、識別情報ＣＭ（Ｎ）の通信系接続端子１４ａを通信系接続端子ＣＭ（Ｎ）、識別情報ＰＭ（Ｎ）の送電系接続端子１４ｂ、１４ｃを送電系接続端子ＰＭ（Ｎ）と称することにする。
【００３６】
まず、パワーコンディショナ１０の電源をオフからオンにすると、紐付処理が開始され、まず、図５に示すようにステップＳ１において、ＣＰＵ１２ａは、１〜ｎまでカウントするカウンタを起動する。このカウンタは、次の、ステップＳ２において、通信系接続端子ＣＭ（１）〜ＣＭ（ｎ）の中から放電指示の送信に用いる通信系接続端子１４ａを特定するためのものである。前回紐付処理の終了時にカウント値Ｎ＝０にリセットされており、カウント値Ｎ＝Ｎ＋１を実行する。この処理が終了した場合には、ステップＳ２に処理を移す。最初にカウント値Ｎ＝１、つまり通信系接続端子ＣＭ（１）に対する紐付け（ステップＳ２〜Ｓ８までの処理）が実行された後、カウント値Ｎ＝２、通信系接続端子ＣＭ（２）に対する紐付けが実行され、以後、カウント値Ｎ＝ｎ（電力変換部１６の台数）になるまで通信系接続端子ＣＭ（Ｎ）に対する紐付けが実行される。
【００３７】
ステップＳ２において、ＣＰＵ１２ａは、ＣＭ（Ｎ）を介して蓄電部２０に、放電指示を送信する。この処理が終了した場合には、ステップＳ３に処理を移す。蓄電部２０は放電指示を送信すると放電を開始し、放電電力は、送電系接続端子ＰＭ（１）〜ＰＭ（ｎ）のいずれかに送電される。このため、送電系接続端子ＰＭ（１）〜ＰＭ（ｎ）に対応する検電素子１４ｄのいずれかが放電電力を検知して、検知信号をＣＰＵ１２ａに送信する。
【００３８】
ステップＳ３において、ＣＰＵ１２ａは、放電指示の送信に用いた通信系接続端子２０ａの識別情報（ＣＭ（Ｎ））を紐付テーブルに記憶する。この処理が終了した場合には、ステップＳ４に処理を移す。
【００３９】
ステップＳ４において、ＣＰＵ１２ａは、送電系接続端子ＰＭ（１）〜ＰＭ（ｎ）に対応する各々の検電素子１４ｄのいずれかから検知信号を受信したか否かを判定し、検知信号を受信したと判定した場合には、ステップＳ６に処理を移し、検知信号を受信していないと判定した場合には、ステップＳ５に処理を移す。
【００４０】
ステップＳ５において、ＣＰＵ１２ａは、紐付テーブルに、放電指示の送信に用いた通信系接続端子１４ａの識別情報（ＣＭ（Ｎ））と紐付けて、蓄電部が接続されていないことを示す非接続情報を記憶する。この処理が終了した場合には、ステップＳ１に処理を移す。
【００４１】
ステップＳ６において、ＣＰＵ１２ａは、放電指示の送信に応じて放電した蓄電部２０に識別情報を付与する。本実施形態においては、ＢＡＴＴ（１）、ＢＡＴＴ（２）、・・・、と複数の蓄電部に対して順番に識別情報を付与して行く。この処理が終了した場合には、ステップＳ７に処理を移す。
【００４２】
ステップＳ７において、ＣＰＵ１２ａは、検知信号を送信した検電素子１４ｄに対応する送電系接続端子１４ｂ、１４ｃを特定する。この処理が終了した場合には、ステップＳ８に処理を移す。
ステップＳ８において、ＣＰＵ１２ａは、ステップＳ６において蓄電部２０に付与した識別情報と、ステップＳ７において特定された送電系接続端子１４ｂ、１４ｃに付与された識別情報を、紐付テーブルに、既に記憶されている通信系接続端子１４ａの識別情報（ＣＭ（Ｎ））に紐付けて追加記憶する。この処理が終了した場合には、ステップＳ９に処理を移す。
【００４３】
ステップＳ９において、ＣＰＵ１２ａは、カウンタのカウント値（Ｎ）が電力変換部１６の数（ｎ）以上か否かを判定し、以上と判定する場合には、カウンタをリセットして（ステップＳ１０）、紐付処理を終了する。未満と判定した場合には、ステップＳ１に処理を移す。つまり、電力変換部１６の台数分の紐付けが完了するまで処理が実行される。
【００４４】
以上のように、ＣＰＵ１２ａは、例えば、通信系接続端子ＣＭ（１）を介して放電指示を送信した際に、検電素子１４ｄからの検知信号を受信しない場合には、通信系接続端子ＣＭ（１）に接続されている蓄電部２０は無いと判定して、次の、通信系接続端子ＣＭ（２）を介して放電指示を送信する。検電素子１４ｄからの検知信号を受信した場合には、蓄電部２０からの放電電力の送電先を特定し、蓄電部２０の識別情報と、送電系接続端子１４ｂ、１４ｃの識別情報とを、放電指示を送信した通信系接続端子１４ａの識別情報に紐付けて紐付テーブルに記憶する。そして、次の、ＣＭ（２）に識別番号の返信を要求する。このように、ＣＭ（１）、ＣＭ（２）、・・・、ＣＭ（Ｎ）の順で蓄電部２０に対応する通信系接続端子１４ａと送電系接続端子１４ｂ、１４ｃとが紐付テーブルに記憶されていくことによって、通信系接続端子１４ａと送電系接続端子１４ｂ、１４ｃとが紐付けられる。
【００４５】
図６は紐付テーブルの一例を示す説明図である。図６（ａ）は、図４に示すように配線された場合の紐付テーブルの一例を示し、図６（ｂ）は、図７に示すように配線された場合の紐付テーブルの一例を示す。
【００４６】
図４に示すように、パワーコンディショナ１０に対して、２つの蓄電部２０が接続される場合において、パワーコンディショナ１０における通信系接続端子ＣＭ（１）と、一方の蓄電部２０における通信系接続端子ＣＳ（１）とが通信線３２によって接続され、パワーコンディショナ１０における送電系接続端子ＰＭ（１）と、一方の蓄電部２０における送電系接続端子ＰＳ（１）とが電池配線３４によって接続されている。また、パワーコンディショナ１０における通信系接続端子ＣＭ（２）と、他方の蓄電部２０における送電系接続端子ＣＳ（２）とが通信線３２によって接続され、パワーコンディショナ１０における送電系接続端子ＰＭ（２）と、他方の蓄電部２０における送電系接続端子ＰＳ（２）とが電池配線３４によって接続されているとする。
【００４７】
図４に示す配線において、図５に示す紐付処理が実行されると、一方の蓄電部２０にＢＡＴＴ（１）という識別情報が付与され、他方の蓄電部２０にＢＡＴＴ（２）という識別情報が付与される。更に、紐付テーブルに記憶されているＣＭ（１）に紐付けて、ＢＡＴＴ（１）とＰＭ（１）とが記憶され、ＣＭ（２）に紐付けて、ＢＡＴＴ（２）とＰＭ（２）とが記憶される。なお、ＣＭ（３）〜ＣＭ（ｎ）には非接続情報（「−」）が記憶される。その結果、図６（ａ）に示す、紐付テーブルが作成される。
【００４８】
図７に示す配線は、パワーコンディショナ１０における通信系接続端子ＣＭ（１）、ＣＭ（２）と、２つの蓄電部２０における通信系接続端子ＣＳ（１）、ＣＳ（２）とが通信線３２によって接続されている。この点では、図４に示す配線と同じであるが、電池配線３４の接続先が図４に示す配線と異なっており、パワーコンディショナ１０における送電系接続端子ＰＭ（１）と、他方の蓄電部２０における送電系接続端子ＰＳ（２）とが電池配線３４によって接続され、パワーコンディショナ１０における送電系接続端子ＰＭ（２）と、一方の蓄電部における送電系接続端子ＰＳ（１）とが電池配線３４によって接続されている。
【００４９】
図７に示す配線において、図５に示す紐付処理が実行されると、一方の蓄電部２０にＢＡＴＴ（１）という識別情報が付与され、他方の蓄電部２０にＢＡＴＴ（２）という識別情報が付与される。更に、紐付テーブルに記憶されているＣＭ（１）に紐付けて、ＢＡＴＴ（１）とＰＭ（２）とが記憶され、ＣＭ（２）に紐付けて、ＢＡＴＴ（２）とＰＭ（１）とが記憶される。なお、ＣＭ（３）〜ＣＭ（ｎ）には非接続情報（「−」）が記憶される。その結果、図６（ｂ）に示すような、紐付テーブルが作成される。このように、紐付テーブルに識別情報を記憶していくことよって、蓄電部２０におけるパワーコンディショナ１０への接続先が規定され、蓄電部２０とパワーコンディショナ１０との配線設定が行われる。
【００５０】
そして、制御部１２は、紐付処理においてエラーが発生した場合に、エラー発生の旨を通知し停止する。その一方で、制御部１２は、電源投入時における初期設定が正常に終了した場合に、蓄電システム１の運転を開始し、以降、紐付テーブルを参照しながら、制御対象の蓄電部２０に対応する電力変換部１６を動作させる。例えば、制御部１２が、複数の蓄電部２０の中で充電する必要がある蓄電部２０を検知した場合、紐付テーブルを参照して、充電する必要がある蓄電部２０に対応する電力変換部１６を特定し、特定した電力変換部１６を動作させて充電電力を蓄電部２０に供給する制御を行う。
【００５１】
以上、説明したように構成された本発明の実施形態によれば、パワーコンディショナ１０と蓄電部２０とにおける通信系統と送電系統との組み合わせを考慮することなく、パワーコンディショナ１０のインターフェース部１４に対して蓄電部２０を自由に接続しても問題なく運転することが可能になる。これにより、誤配線に起因する動作不良をなくすことが可能になる。
【００５２】
［他の実施形態］
本発明の実施形態について説明したが、本発明の実施形態は上述した実施形態に限るものではない。例えば、上述した実施形態においては、制御部１２が、パワーコンディショナ１０に接続された複数の蓄電部２０に対してそれぞれ識別情報を付与しているが、複数の蓄電部２０の各々に付与されている固有情報（例えば、製品番号、蓄電池ユニット上のＤＩＰスイッチによって作業員等が付与した番号、等）を蓄電部２０から取得し、この固有情報を識別情報として利用してもよい。具体的には、制御部１２に、図５に示す紐付処理の代わりに、図８に示す紐付処理を実行させる。
図８では、ステップＳ１１において、ＣＰＵ１２ａは、１〜ｎまでカウントするカウンタを起動する。このカウンタは、次の、ステップＳ１２において、通信系接続端子ＣＭ（１）〜ＣＭ（ｎ）の中から固有情報の返信要求の送信に用いる通信系接続端子１４ａを特定するためのものである。この処理が終了した場合には、ステップＳ１２に処理を移す。
【００５３】
ステップＳ１２において、ＣＰＵ１２ａは、通信系接続端子ＣＭ（Ｎ）を介して蓄電部２０に、固有情報の返信を要求する。ここで、Ｎ＝１の場合、最初に、通信系接続端子ＣＭ（１）に接続されている蓄電部２０に、固有情報の返信を要求する。この処理が終了した場合には、ステップＳ１３に処理を移す。
【００５４】
ステップＳ１３において、ＣＰＵ１２ａは、蓄電部２０からの返信の有無を判定する。蓄電部２０から固有情報の返信があったと判定する場合には、ステップＳ１４に処理を移し、蓄電部２０から固有情報の返信がなかったと判定した場合には、ステップＳ１に処理を移す。
【００５５】
ステップＳ１４において、ＣＰＵ１２ａは、固有情報の返信要求の送信に用いた通信系接続端子２０ａの識別情報（ＣＭ（Ｎ））と蓄電部２０から取得した固有情報とを紐付けてＲＡＭ１２ｂの紐付テーブルに記憶する。この処理が終了した場合には、ステップＳ１５に処理を移す。
【００５６】
ステップＳ１５において、ＣＰＵ１２ａは、通信系接続端子ＣＭ（Ｎ）を介して蓄電部２０に、放電指示を送信する。この処理が終了した場合には、ステップＳ１６に処理を移す。
【００５７】
ステップＳ１６において、ＣＰＵ１２ａは、検知信号を送信した検電素子１４ｄに対応する送電系接続端子１４ｂ、１４ｃを特定する。そして、ステップＳ１７において、ＣＰＵ１２ａは、特定した送電系接続端子１４ｂ、１４ｃに付与された識別情報を、既に紐付テーブルに記憶されているＣＭ（Ｎ）と蓄電部２０からの固有情報とに紐付けて紐付テーブルに追加記憶する。この処理が終了した場合には、ステップＳ１８に処理を移す。
【００５８】
ステップＳ１８において、ＣＰＵ１２ａは、カウンタのカウント値（Ｎ）が電力変換部１６の数（ｎ）以上か否かを判定し、以上と判定する場合には、カウンタをリセットして（ステップＳ１９）、紐付処理を終了する。未満と判定した場合には、ステップＳ１に処理を移す。つまり、電力変換部１６の台数分の紐付けが完了するまで処理が実行される。
【００５９】
以上のように、ＣＰＵ１２ａは、例えば、通信系接続端子ＣＭ（１）から固有情報の返信を要求する指示を出力させ、蓄電部２０からの返信が無い場合には、ＣＭ（１）に接続されている蓄電部２０は無いと判定して、次の、通信系接続端子ＣＭ（２）から固有情報の返信を要求する指示を出力する。蓄電部２０からの返信が有る場合には、通信系接続端子ＣＭ（１）から放電指示を送信して蓄電部２０からの放電電力の送電先を特定し、蓄電部２０の固有情報と、蓄電部２０に対応する通信系接続端子１４ａの識別情報及び送電系接続端子１４ｂ、１４ｃの識別情報と、電力変換部１６の識別情報とを紐付けて紐付テーブルに記憶する。そして、次の、通信系接続端子ＣＭ（２）から固有情報の返信を要求する指示を出力させる。このように、ＣＭ（１）、ＣＭ（２）、・・・、ＣＭ（Ｎ）の順で蓄電部２０に対応する通信系接続端子１４ａと送電系接続端子１４ｂ、１４ｃとを紐付ける情報が紐付テーブルに記憶されていく。その結果、図６に示す紐付テーブルにおいて、蓄電部の識別情報の項目に、蓄電部２０の固有情報が記憶された紐付テーブルが作成される。
【００６０】
また、上述した実施形態においては、パワーコンディショナ１０に、検電素子１４ｄ及び信号配線５４が常設されているが、検電素子１４ｄ及び信号配線５４については取付／取外自在であってもよく、蓄電部２０を新たに接続するときに、パワーコンディショナ１０に対して検電素子１４ｄ及び信号配線５４を取り付けるようにしてもよい。
【００６１】
また、上述した実施形態においては、放電電力を検知する検電素子１４ｄを用いているが、制御部１２が、複数の送電系接続端子ＰＭ（１）〜ＰＭ（ｎ）のいずれに放電電力が供給されたのかを判別できるのであれば、放電電力を検知するための構成については問わない。例えば、送電系接続端子ＰＭ（１）〜ＰＭ（ｎ）と制御部１２とを信号配線によって接続し、供給された放電電力の一部を分圧して制御部１２に送信するようにしてもよい。更には、制御部１２が、紐付処理において放電指示を送信した場合における複数の電力変換部１６の動作状態を監視するようにしてもよい。
また、上述した実施形態においては、パワーコンディショナ１０の制御部１２と蓄電部２０の制御部６０とを通信線３２を介して有線接続しているが、送受信部（本発明の「通信部」に相当）を介して無線で接続するようにしてもよい。
【符号の説明】
【００６２】
１  蓄電システム
１０  パワーコンディショナ
１２  制御部
１２ａ  ＣＰＵ
１２ｂ  ＲＡＭ
１２ｃ  入出力部
１４  インターフェース部
１４ａ  通信系接続端子
１４ｂ、１４ｃ  送電系接続端子
１４ｄ  検電素子
１６  電力変換部
２０  蓄電部
２０ａ  通信系接続端子
２０ｂ、２０ｃ  送電系接続端子
３０  電力線
３２  通信線
３４  電池配線
３６  自立配線
５０  通信配線
５２  送電配線
５４  信号配線
６０  制御部
６２  蓄電池
１０２  系統配線
１１０  一般家庭負荷
１１２  自立負荷
【図１】
2018196185.tif 000003
【図２】
2018196185.tif 000004
【図３】
2018196185.tif 000005
【図４】
2018196185.tif 000006
【図５】
2018196185.tif 000007
【図６】
2018196185.tif 000008
【図７】
2018196185.tif 000009
【図８】
2018196185.tif 000010